(57)【要約】  【課題】  本発明の目的は、各物品収容部に対応しない送風手段を採用しても、各物品収容部における空気の流れが著しくばらつくことなく、物品への塵埃の付着や堆積を防止することができる物品保管装置の提供にある。  【解決手段】  複数の物品収容部１２が上下に多段状に形成された物品保管棚１１と、各物品収容部１２の背面から物品収容部１２内へ空気を送り込む送風手段とを備えた物品保管装置１０であって、物品保管棚１１の背面に各物品収容部１２と連通する背面側空間部２４が形成され、背面側空間部２４には、背面側空間部２４を上下の区画空間部２４ａ〜２４ｄに分割形成する仕切板２９が設けられ、仕切板２９は複数の空気流通孔３０を備える。  【選択図】  図２
2007112527.tif 000002
【特許請求の範囲】
【請求項１】
複数の物品収容部が上下に多段状に形成された物品保管棚と、前記各物品収容部の背面から該物品収容部内へ空気を送り込む送風手段とを備えた物品保管装置であって、
前記物品保管棚の背面に前記各物品収容部と連通する背面側空間部が形成され、
前記背面側空間部には、該背面側空間部を上下方向の複数の区画空間部に分割形成する仕切板が設けられ、
前記仕切板は複数の空気流通孔を備えることを特徴とする物品保管装置。
【請求項２】
前記背面側空間部と前記各物品収容部の間に整流板が夫々備えられることを特徴とする請求項１記載の物品保管装置。
【請求項３】
前記整流板は、空気を整流する複数の整流用通孔を備え、前記整流用通孔の開口率は上下方向に異なることを特徴とする請求項２記載の物品保管装置。
【請求項４】
前記整流板は、上部整流板と下部整流板を有し、上部整流板における前記整流用通孔の開口率は、下部整流板における前記整流用通孔の開口率よりも大とすることを特徴とする請求項３記載の物品保管装置。
【請求項５】
前記送風手段は、前記背面側空間部の上方又は前記背面側空間部の背面側に設置されることを特徴とする請求項１〜４のいずれか一項記載の物品保管装置。
【発明の詳細な説明】
【技術分野】
【０００１】
この発明は、物品保管装置に関し、特に、物品保管棚内の物品への塵埃の付着や堆積を防止するように、清浄な空気（クリーン・エア）を物品保管棚内へ供給する送風手段を備えた物品保管装置に関する。
【背景技術】
【０００２】
従来、半導体部品等に用いられるガラス基板は、塵埃の付着や堆積により製品歩留まりが大幅に低下することから、常に塵埃の付着や堆積を防止する必要がある。
そこで、こうした塵埃の付着や堆積を嫌うガラス基板等の物品は、空気清浄度の高い環境において取り扱われることが一般的である。
【０００３】
この種の物品は、例えば、特許文献１に開示された物品保管装置（荷保管装置）において保管されることが知られている。
この種の物品保管装置は、物品収容部（荷収容部）が上下に複数段形成された物品保管棚（ラックユニット）と、物品保管棚の背面に備えられた背面側空間部（流路）と、物品収容部と背面側空間部の間に設けられたフィルタと、背面側空間部に各物品収容部に対応して備えられた送風手段（ファン）とを、有している。
そして、この物品保管装置は、送風手段の駆動により背面側空間部からフィルタを通じて物品収容部内へ清浄な空気を送り込むようしている。
この物品保管装置によれば、各物品収容部に対応して送風手段が設けられていることから、各物品収容部において物品収容部内の空気の流れは一定であり、物品収容部毎に空気の流れが異なることはない。
【０００４】
また、別の物品保管装置としては、例えば、特許文献２に開示された物品保管装置（クリーンルーム用自動倉庫）が知られている。
この種の物品保管装置は、物品収容部が上下に複数段形成された物品保管棚（棚）と、物品物品保管棚の上方の天井に空気（クリーンエア）を吹き降ろす送風手段と、物品収容部の背面側の形成された背面側空間部（ダクト）と、物品収容部と背面側空間部との間に介在された整流板（精密整流板）とを有している。
この物品保管装置は、背面側空間部を通じて、天井側からの空気を物品収容部内へ送り込むことができ、また、整流板により物品収容部内の空気の流れをほぼ均等にする。
この物品保管装置によれば、天井側に送風手段を設けることから、各物品収容部毎に送風手段を設ける必要がない。
【特許文献１】特開平１０−２９１６０７号公報
【特許文献２】特開平７−１７２５０６号公報
【発明の開示】
【発明が解決しようとする課題】
【０００５】
しかしながら、特許文献１に開示されたこの種の物品保管棚では、各物品収容部に対応して送風手段が夫々設けられているから、物品収容部の数に応じた送風手段を必要とする。
また、送風の条件を変更したり調整したりする場合、全ての送風手段を操作する必要がある。
【０００６】
一方、特許文献２に開示されたこの種の物品保管装置では、物品保管棚の背面側に形成された背面側空間部が上下に長く設定されがちである。
こうした背面側空間部は、天井側の送風手段からの空気の供給を受けても、空気の流れが直ちに下部まで達し、このため、背面側空間部における空気の圧力は上部と下部において一定とならない。
つまり、この種の物品保管装置における背面側空間部では、下部における空気の圧力は、上部における空気の圧力よりも高くなる。
このため、上部の物品収容部内へ送り込まれる空気の流れと、下部の物品収容部内へ送り込まれる空気の流れが著しくばらつくことが避けられないという問題がある。
物品収容部内へ送り込まれる空気の流れが著しくばらつくと、例えば、上部の物品収容部では空気の流れが塵埃の付着・堆積を防止する層流であるとしても、下部の物品収容部では、空気の流速が過度となり塵埃の付着・堆積を招く原因となる乱流が生じる可能性が高い。
あるいは、下部の物品収容部において空気の流れが層流とすると、上部の物品収容部では、空気の流速が不足して塵埃の付着・堆積の防止に不十分な弱い流れとなるおそれがある。
【０００７】
本発明は上記の問題点に鑑みてなされたもので、本発明の目的は、各物品収容部に対応しない送風手段を採用しても、各物品収容部における空気の流れが著しくばらつくことなく、物品への塵埃の付着や堆積を防止することができる物品保管装置の提供にある。
【課題を解決するための手段】
【０００８】
上記課題を達成するため、請求項１記載の発明は、複数の物品収容部が上下に多段状に形成された物品保管棚と、前記各物品収容部の背面から該物品収容部内へ空気を送り込む送風手段とを備えた物品保管装置であって、前記物品保管棚の背面に前記各物品収容部と連通する背面側空間部が形成され、前記背面側空間部には、該背面側空間部を上下方向の複数の区画空間部に分割形成する仕切板が設けられ、前記仕切板は複数の空気流通孔を備えることを特徴とする。
【０００９】
請求項１記載の発明によれば、物品保管棚の背面側に形成される背面側空間部には、空気流通孔を備えた仕切板により上下方向の複数の区画空間部が分割形成されるから、送風手段から供給される空気は背面側空間部を上下に通る際、仕切板による流通の抑制を受ける一方で、空気流通孔を通過する。
従って、空気流通孔を有する仕切板の作用により区画空間部毎に空気の圧力をほぼ一定に保ちやすくなるほか、各区画空間部との圧力差を抑制しやすくなる。
このため、区画空間部から物品収容部内へ送り込まれる空気は、物品への塵埃の付着や堆積を防止するために適した流れである層流を作り出し易い。
なお、物品保管棚において、物品の出入が行われる側を正面側とし、反対側を背面側とする。
【００１０】
請求項２記載の発明は、請求項１記載の物品保管装置において、前記背面側空間部と前記各物品収容部の間に整流板が夫々備えられることを特徴とする。
【００１１】
請求項２記載の発明によれば、背面側空間部における区画空間部から物品収容部に供給される空気は整流板により整流される。
従って、整流板により空気の流れを整流することにより、物品への塵埃の付着や堆積を招くおそれのある乱流の発生を防止することができる。
【００１２】
請求項３記載の発明は、請求項２記載の物品保管装置において、前記整流板は、空気を整流する複数の整流用通孔を備え、前記整流用通孔の開口率は上下方向に異なることを特徴とする。
【００１３】
請求項３記載の発明によれば、区画空間部から物品収容部に供給される空気は、複数の整流用通孔を備えた整流板により整流される。
整流用通孔の開口率が整流板の上下方向に異なることから、区画空間部において上部と下部の圧力差が存在する場合であっても、整流板の上部を通る空気と、下部を通る空気は、物品収容部内においてほぼ同じ速度分布となる。
【００１４】
請求項４記載の発明は、請求項３記載の物品保管装置において、前記整流板は、上部整流板と下部整流板を有し、上部整流板における前記整流用通孔の開口率は、下部整流板における前記整流用通孔の開口率よりも大とすることを特徴とする。
【００１５】
請求項４記載の発明によれば、区画空間部から物品収容部に供給される空気は上部整流板及び下部整流板の整流用通孔を通り整流される。
整流用通孔の開口率は、下部整流板における整流用通孔の開口率よりも大としていることから、例えば、下部整流板に対応する区画空間部内の空気の圧力が、上部整流板に対応する区画空間部内の空気の圧力より大きい場合、空気は上部整流板における整流用通孔と下部整流板における整流用通孔を通ることにより物品収容部内においてほぼ一定の速度分布となる。
【００１６】
請求項５記載の発明は、請求項１〜４のいずれか一項記載の物品保管装置において、前記送風手段は、前記背面側空間部の上方又は前記背面側空間部の背面側に設置されることを特徴とする。
【００１７】
請求項５記載の発明によれば、背面側空間部の上方又は背面側空間部の背面側に設置される送風手段は背面側空間部へ空気を供給し、背面側空間部へ供給された空気は背面側空間部の上下に行き渡る。
【発明の効果】
【００１８】
本発明によれば、各物品収容部に対応しない送風手段を採用しても、各物品収容部における空気の流れが著しくばらつくことなく、物品への塵埃の付着や堆積を防止することができる物品保管装置を提供することができる。
【発明を実施するための最良の形態】
【００１９】
（第１の実施形態）
以下、実施形態に係る物品保管装置１０について図１〜図４に基づき説明する。
この実施形態の物品保管装置１０は、スタッカクレーンを備えた自動倉庫に適用した例である。
図１は、この実施形態に係る物品保管装置１０の一部を破断して示す側面図である。
この実施形態に係る物品保管装置１０は、図１に示すように、複数の物品収容部１２が上下に左右に形成された物品保管棚１１を有する。
物品収容部１２は、物品Ｗの両側付近を支持する一対の支持部材１２ａを備え、物品収容部１２には物品Ｗが収容される。
支持部材１２ａの下面側には、下方の物品収容部１２との隔絶する底板１２ｂが供えられている。
従って、上下の物品収容部１２の間は、底板１２ｂにより仕切られる。
この実施形態における物品Ｗは、塵埃の堆積及び付着を嫌う、例えば、基板部品である。
【００２０】
図１に示すように、物品保管棚１１の正面側には、各物品収容部１２に対する物品Ｗの出入を図るスタッカクレーンが１３配置されている。
スタッカクレーン１３はマスト１５が立設された走行台車１４を備えているほか、物品収容部１２に対して進退自在のスライドフォーク１７を備えたキャリッジ１６を有しており、このキャリッジ１６はマスト１５に沿って昇降する。
スタッカクレーン１３は、床面の軌道１８及び天井側の案内体１９に沿って走行自在であり、物品保管棚１１と入出庫コンベア２０との間を往復走行する。
これにより、スタッカクレーン１３は各物品収容部１２に対して物品Ｗの出入を行うことができる。
例えば、フォーク１７により物品収容部１２から取り出す場合は、物品収容部１２における物品Ｗと底板１２ｂとの間にフォーク１７を挿入して物品Ｗの取り出しを行う。
なお、入出庫コンベア２０は、入出庫すべき物品Ｗを搬送するコンベアである。
この実施形態では、物品保管棚１１において、スタッカクレーン１３により物品Ｗの出入が行われる側を正面側とし、反対側を背面側とする。
【００２１】
物品保管棚１１及びスタッカクレーン１３の上方には、図１及び図２に示すように、天井壁２３が備えられている。
図２に示すように、物品保管棚１１の背面側には、背面側空間部２４が側壁２２により区画形成されている。
側壁２２及び天井壁２３は、物品保管棚１１と、スタッカクレーン１３と、入出庫コンベア２０を囲むように設置されている。
つまり、側壁２２は、物品保管棚１１と、スタッカクレーン１３と、入出庫コンベア２０を外部と隔絶する密閉空間を形成する。
【００２２】
天井壁２３はスタッカクレーン１３が備えられる空間２５（説明の便宜上「正面側空間部２５」と表記する。）と天井側空間部２１を隔絶している。
図２に示すように、天井側空間部２１は、背面側空間部２４及び物品収容部１２を通じて、正面側空間部２５と連通している。
このため、天井側空間部２１、背面側空間部２４、物品収容部１２、正面側空間部２５、通路２６、天井側空間部２１という空気の循環径路が形成される。
なお、図２において、スタッカクレーン１３の一側にのみ物品保管棚１１を図示したが、この実施形態では、スタッカクレーン１３の両側に夫々物品保管棚１１が設置される構成である。
【００２３】
天井側空間部２１には、送風手段としての複数台の送風ファン２７が配置されている。
各送風ファン２７は、上方から下方へ空気を一定の流速にて流し、空気を物品保管棚１１の背面側空間部２４へ供給するファンである。
送風ファン２７の下面には、除塵フィルタ２８が天井側空間部２１を上下に分割するように設置されている。
除塵フィルタ２８は送風ファン２７から吹き出された空気中の塵埃を捕集するフィルタである。
これにより、除塵フィルタ２８を通過した空気は清浄な空気となる。
【００２４】
図２に示す背面側空間部２４は、送風ファン２７の吹き出しを受けて天井側空間部２１からの清浄な空気の供給を受ける空間部である。
背面側空間部２４は、上下に複数に分割形成された区画空間部２４ａ〜２４ｄを有する。
また、各区画空間部２４ａ〜２４ｄの間に仕切板２９が設けられており、背面空間部２４と天井側空間部２１との境にも仕切板２９が設けられている。
仕切板２９は、図３に示されるように、複数の空気流通孔３０を備えており、空気流通孔３０は仕切板２９の上下の区画空間部２４ａ〜２４ｄを互いに連通する。
また、最上位の仕切板２９は、天井側空間部２１と最上位の区画空間部２４ａを互いに連通する。
この実施形態の仕切板２９は、金属板の打ち抜きにより形成されるパンチング板を採用している。
仕切板２９は物品収容部１２における支持部材１２ａの高さに一致するように設けられている。
このため、各区画空間部２４ａ〜２４ｄは、物品収容部１２毎に対応して形成されている。
【００２５】
仕切板２９は、空気流通孔３０により上方から下方への空気の流通を可能とするが、背面側空間部２４における空気の流れは仕切板２９の介在による規制を受ける。
つまり、仕切板２９は、上方から下方へ向かう空気の流れの抵抗体であるものの、空気の上方から下方への流通を妨げない要素となっている。
仕切板２９における空気流通孔３０の総面積が占める割合（以後「開口率」と表記する。）により空気の通り易さ、あるいは通り難さが決定される。
例えば、仕切板２９の開口率が大きい場合、空気流通孔３０の総面積が多いことになるから、空気は仕切板２９を通り易く、逆に、仕切板２９の開口率が小さい場合は、空気流通孔３０の総面積が小さくなるから、空気は仕切板２９を通り難いと言える。
【００２６】
この実施形態では、仕切板２９の開口率は各仕切板２９に異なっており、例えば、最上位の仕切板２９では開口率が最も小さく設定されている。
各仕切板２９の開口率の設定は、送風ファン２７の空気の流速、天井側空間部２１や背面側空間部２４の容積、物品Ｗの寸法・形状等の諸条件により決定される。
【００２７】
一方、背面側空間部２４と各物品収容部１２の間には、図２及び図３に示すように、複数の整流用通孔３３を有する整流板３２が備えられている。
整流用通孔３３は区画空間部２４ａ〜２４ｄと対応する物品収容部１２を連通するが、整流用通孔３３は物品収容部１２における空気の流れを適切に整える機能を有する。
この実施形態では、整流板３２における整流用通孔３３の占める割合（以後「開口率」と表記する。）が、整流板３２の上半分と下半分が異なっている。
具体的には、整流板３２の上半分では開口率が大きく、下半分では開口率が小さく設定されている。
これは、空気の圧力が各区画空間部２４ａ〜２４ｄの下側で高く、上側で低くなる傾向があるためで、整流板３２の上下方向において開口率を異ならせることにより、各区画空間部２４ａ〜２４ｄにおける圧力差を、物品収容部１２における空気の流れに反映させないようにするためである。
【００２８】
この実施形態では、開口率の異なる下部整流板３２ａと上部整流板３２ｂの組み合わせにより整流板３２を構成している。
下部整流板３２ａ及び上部整流板３２ｂは、いずれも金属板の打ち抜きによるパンチング板を採用している。
【００２９】
このように、各区画空間部２４ａ〜２４ｄの上下には仕切板２９が設けられ、背面側には側壁２２が配置され、物品収容部１２側は整流板３２が設けられている。
そして、各区画空間部２４ａ〜２４ｄの両側（左右）は、図示しない区画壁により、対応する隣の各区画空間部２４ａ〜２４ｄと隔絶されている。
【００３０】
次に、この実施形態に係る物品保管装置１０の動作について説明する。
この物品保管装置１０は、常態では常に送風ファン２７が駆動される状態にある。
送風ファン２７により吹き出された空気は除塵フィルタ２８を通るが、このとき、空気中の塵埃は除塵フィルタ２８に捕集される。
除塵フィルタ２８を通過した空気は清浄な空気となり、清浄な空気は背面側空間部２４へ送り込まれる。
【００３１】
背面空間部２４と天井側空間部２１との境に位置する仕切板２９は、空気の流れを規制しつつ、仕切板２９の開口率に応じた空気の流れを下方の区画空間部２４ａへ通す。
区画空間部２４ａに導かれた空気の流れは、仕切板２９による規制を受けつつ下方の区画空間部２４ｂ〜２４ｄへ向かう。
このように、仕切板２９を通して最上位の区画空間部２４ａから最下位の区画空間部２４ｄへ空気が仕切板２９の開口率に応じた流速で通される。
【００３２】
送風ファン２７の駆動が安定している場合、各区画空間部２４ａ〜２４ｄ内の空気の圧力は、仕切板２９の作用により各区画空間部２４ａ〜２４ｄ毎に決定される。
この実施形態では、背面側空間部２４が仕切板２９の作用により物品収容部１２に応じた各区画空間部２４ａ〜２４ｄに分割されていることから、各区画空間部２４ａ〜２４ｄ内の圧力差が抑制された状態にある。
また、各区画空間部２４ａ〜２４ｄの空気の圧力が著しくばらつくことがないように、仕切板２９の開口率が設定してあり、これにより、例えば、最下位の区画空間部２４ｄと最上位の区画空間部２４ａにおける空気の圧力の差が抑制されている。
【００３３】
そして、整流板３２を通じて各区画空間部２４ａ〜２４ｄから対応する物品収容部１２へ空気が送り出されるが、各物品収容部１２における空気の流れは、区画空間部２４ａ〜２４ｄ内の空気の圧力に応じたものとなる。
図４は、物品収容部１２における空気の速度分布を示した図であり、実線Ｖｍに示される空気の速度分布であり、二点鎖線Ｖａ〜Ｖｄは仕切板２９及び整流板３２がない場合の空気の速度分布を示している。
図４に示すように、各区画空間部２４ａ〜２４ｄから対応する各物品収容部１２に供給される空気は、複数の整流用通孔３３を備えた整流板２２により整流される
物品収容部１２における空気の流れは、整流用通孔３３を通過していることから層流となっている。
層流は、乱流と異なり、物品Ｗへの塵埃の付着や堆積を防止するために適した流れである。
【００３４】
区画空間部２４ａ〜２４ｄ内の圧力分布を見ると、各区画空間部２４ａ〜２４ｄの上部と下部において若干の圧力差が生じることが避けられないが、開口率の異なる下部整流板３２ａと上部整流板３２ｂが用いられていることにより、圧力の高い下部では空気の流れが絞られており、圧力の低い上部では下部よりも流れやすくなっている。
この結果、物品収容部１２の下部及び上部においてほぼ同じ層流が生じており、空気の著しい流速差による乱流は生じない。
そして、物品収容部１２における空気は、正面側空間部２５に出るが、この実施形態では、床側に備えられる図示はしない床側通路を通じて外部へ出る。
【００３５】
この実施形態に係る物品保管装置によれば以下の効果を奏する。
（１）空気流通孔３０を有する仕切板３９の作用により区画空間部２４ａ〜２４ｄ毎に空気の圧力をほぼ一定に保ちやすくなるほか、各区画空間部２４ａ〜２４ｄとの圧力差を抑制しやすくなる。
このため、区画空間部２４ａ〜２４ｄから物品収容部１２内へ送り込まれる空気は、物品Ｗへの塵埃の付着や堆積を防止するために適した流れである層流を作り出し易い。
（２）背面側空間部２４における各区画空間部２４ａ〜２４ｄから物品収容部１２に供給される空気は整流板３２により整流されるから、整流板３２により空気の流れを整流することにより、物品Ｗへの塵埃の付着や堆積を招くおそれのある乱流の発生を防止することができる。
（３）整流用通孔３３の開口率が整流板３２の上下方向に異なることから、各区画空間部２４ａ〜２４ｄにおいて上部と下部の圧力差が存在する場合であっても、整流板３２における開口率の相違に基づいて整流板３２の上部を通る空気と、下部を通る空気は、物品収容部１２内においてほぼ同じ速度分布の流れとなる。
（４）上部整流板３２ｂにおける開口率は、下部整流板３２ａにおける整流用通孔３３の開口率よりも大としていることから、例えば、下部整流板３２ａに対応する区画空間部２４ａ内の上部付近の空気の圧力が、上部整流板３２ｂに対応する下部付近の空気の圧力より大きい場合、空気は上部整流板３２ｂにおける整流用通孔３３と下部整流板３２ａにおける整流用通孔３３を通ることにより対応する物品収容部１２内においてほぼ一定の速度分布となる。
（５）背面側空間部２４の上方に設置される送風ファン２７は背面側空間部２４へ流速に応じた空気を送り込み、背面側空間部２４へ供給された空気は仕切板２９を通じて背面側空間部２４の上方から下方へ行き渡り、空気の流速に応じて各区画空間部２４ａ〜２４ｄ内の空気の圧力を高めることができる。
【００３６】
（第２の実施形態）
次に、第２の実施形態に係る物品保管装置４０について説明する。
図５は第２の実施形態に係る物品保管装置４０の一部を破断して示す正面図である。
第２の実施形態に係る物品保管装置４０は、設けられる仕切板の数が異なる点と整流板の構成が異なる点を除き、第１の実施形態の物品保管装置１０と構成とほぼ共通する。
このため、第２の実施形態では、第１の実施形態と共通する要素については、第１の実施形態の説明を援用し、説明の便宜上、共通の符号を用いる。
【００３７】
第２の実施形態では、第１の実施形態の各区画空間部２４ａ〜２４ｄを仕切板４２によりさらに３分割した形となっている。
従って、この実施形態の背面側空間部４１は１２の区画空間部４１ａ〜４１lに分割形成されている。
つまり、この実施形態の各区画空間部４１ａ〜４１ｌは、第１の実施形態の各区画空間部２４ａ〜２４ｄのほぼ１／３の空間となっている。
仕切板４２は基本的に、第１の実施形態と同様に空気流通孔４３を有し、仕切板４２の開口率は各区画空間部４１ａ〜４１ｌに適した開口率が設定されている。
各区画空間部４１ａ〜４１ｌの空間がさらに少なくなるので、各区画空間部４１ａ〜４１ｌ内における空気の圧力を微差とし易くする。
また、各区画空間部４１ａ〜４１ｌと物品収容部１２の間の面積が減少する。
このため、各区画空間部４１ａ〜４１ｌと物品収容部１２の間には、整流用通孔４５を有し、開口率が共通する整流板４４が介在されている。
因みに、この実施形態では、整流板４４が物品収容部１２毎に備えられている。
【００３８】
この実施形態によれば、仕切板４２の数が増えるものの、各物品収容部１２における空気の流れはより適切な層流となるほか、開口率が一定の整流板４４を用いることも可能となる。
また、区画空間部４１ａ〜４１ｌの上下間隔が短くなることにより、区画空間部４１ａ〜４１ｌにおける空気が仕切板４２に沿って案内され、整流板４４による空気の整流作用を仕切板４２が助長する。
【００３９】
（第３の実施形態）
次に、第３の実施形態について説明する。
図６は第３の実施形態に係る物品保管装置５０の要部を破断して示す正面図である。
この実施形態では、第１の実施形態と共通又は類似する要素については第１の実施形態で用いた符号を使用する。
第３の実施形態の背面側空間部５１は、仕切板５２により２つの区画空間部５１ａ、５２ｂに区画形成されている。
下側の仕切板５２は、２段目の物品収容部１２の支持部材１２ａの位置に対応していることから、各区画空間部５１ａ、５２ｂは夫々２つの物品収容部１２に対応している。
この実施形態の各区画空間部５１ａ、５１ｂは、第１の実施形態の各区画空間部２４ａ〜２４ｄの２倍の大きさとなっている。
【００４０】
仕切板５２は空気流通孔５３を有し、第１の実施形態の仕切板２９と基本的に同じであるが、区画空間部５１ａ、５１ｂに適した開口率が設定されている。
また、区画空間部５１ａ、５１ｂと物品収容部１２との間には、整流用通孔５５を有する整流板５４が備えられている。
区画空間部５１ａ、５１ｂにおける上段側の整流板５４（５４ａ）については、上段側の物品収容部１２に対応して開口率を大きく設定してある。
他方、下段側の物品収容部１２に対応する整流板５４（５４ｂ）の開口率は上段側の整流板５４ａと比較して小さく設定している。
つまり、大きな区画空間部５１ａ、５２ｂでは生じる可能性のある空気の圧力差を整流板５４ａ、５４ｂの開口率により吸収する意図がある。
【００４１】
この実施形態では仕切板５２の数を減らすことができるが、物品収容部１２毎に適した開口率が異なる整流板５４ａ、５４ｂを選択することが好ましい。
【００４２】
（第４の実施形態）
次に、第４の実施形態の物品保管装置６０について説明する。
図７は第４の実施形態に係る物品保管装置６０の一部を破断して示す正面図である。
この実施形態では、第１の実施形態と共通又は類似する要素については第１の実施形態で用いた符号を使用する。
第４の実施形態では、図７に示すように、天井側空間部２１と背面側空間部６１の境の仕切板６２を除く仕切板６２が、物品収容部１２の中間の高さに設定されている。
この実施形態の背面側空間部６１は、６つの区画空間部６１ａ〜６１ｅに分割形成されている。
最上位の区画空間部６１ａ及び最下位の区画空間部６１ｅは、他の区画空間部６１ｂ〜６１ｄの半分の大きさとなっている。
【００４３】
この実施形態では、区画空間部６１ｂ〜６１ｄが複数の物品収容部１２の一部を臨む状態にある。
例えば、区画空間部６１ｂは最上段の物品収容部１２の下半分の空間を臨むとともに、２段目の物品収容部１２の上半分の空間を臨む。
最上位の区画空間部６１ａは、最上段の物品収容部１２の上半分の空間を臨み、最下位の区画空間部６１ｅは、最下段の物品収容部１２の下半分の空間を臨む。
【００４４】
各仕切板６２は空気流通孔６３を有し、各区画空間部６１ａ〜６１ｅに適した開口率に設定されている。
また、背面側空間部６１と物品収容部１２の間には、整流用通孔６５を備えた整流板６４が物品収容部１２毎に備えられている。
整流板６４は開口率が小さく設定された下部整流板６４ａと、開口率が大きく設定された上部整流板６４ｂの組み合わせにより構成されている。
【００４５】
この実施形態によれば、第１の実施形態と同等又は類似の効果を奏する。
また、この実施形態では、仕切板６２が物品収容部１２の支持部材１２ａの一致しない構成であり、仕切板６２を設ける場合に支持部材１２ａとの位置合わせを行う必要がない。
【００４６】
（第５の実施形態）
次に、第５の実施形態に係る物品保管装置７０について説明する。
図８は第５の実施形態に係る物品保管装置７０の一部を破断して示す正面図である。
この実施形態の物品保管棚１１及びスタッカクレーン１３は第１の実施形態と共通する。
このため、第５の実施形態では、共通する要素については、第１の実施形態の説明を援用し、説明の便宜上、共通の符号を用いる。
【００４７】
第５の実施形態では、図８に示すように、背面側空間部７１が外壁７２及び隔壁７３により形成されている。
背面側空間部７１の背面側にさらに別の空間部７４（説明の便宜上、「側部空間部７４」と表記する。）が形成されている。
側部空間部７４は背面側空間部７１と連通しており、側部空間部７４と背面側空間部７１との間には除塵フィルタ７５が備えられている。
また、側部空間部７４は物品保管棚１１の下部に形成された通路７６を介して正面側空間部２５と連通している。
通路７６には別の除塵フィルタ７７が備えられている。
なお、この実施形態では、側部空間部７４が形成されていることから、第１の実施形態において説明した天井側空間部２１が存在しない。
【００４８】
側部空間部７４には送風手段である送風ファン７８が収容され、送風ファン７８は背面側空間部７１に空気を送り込むように駆動される。
この実施形態では、背面側空間部７１において送風ファン７８は２段目及び３段目の物品収容部１２に対応する高さに設定されている。
【００４９】
背面側空間部７１は、複数の仕切板７９により４つの区画空間部７１ａ〜７１ｄに分割形成されている。
各仕切板７９は空気流通孔８０を有しており、各区画空間部７１ａ〜７１ｄに適した開口率が設定されている。
この実施形態では、送風ファン７８に近い仕切板７９の開口率を小さく設定し、送風ファン７８から離れた仕切板７９の開口率を大きく設定している。
【００５０】
一方、背面側空間部７１と物品収容部１２の間には、整流用通孔８２を有する整流板８１が介在されている。
この実施形態では、送風ファン７８に対応する２段目、３段目の物品収容部１２に対応する整流板８１の開口率を小さく設定し、最上段及び最下段に対応する整流板８１の開口率を大きく設定している。
【００５１】
この実施形態によれば、送風ファン７８からの背面側空間部７１に送り込まれる空気は、区画空間部７１ｂ、７１ｃから最上位の区画空間部７１ａ及び最下位の区画空間部７１ｄに振り分けられる。
このとき、振り分けられる空気は各仕切板７９を通る。
また、各区画空間部７１ａ〜７１ｄの空気は整流板７９を通り、対応する物品収容部１２へ層流となって流れ込む。
【００５２】
この実施形態では、送風ファン７８が背面側空間部７１の背面側に備えられる場合でも、物品Ｗへの塵埃の付着や堆積を防止する適切な空気の流れ（層流）を物品収容部１２内において作り出すことができる。
また、物品保管棚１１やスタッカクレーン１３の上方にスペースがない場合でも、清浄な空気を送るための送風ファン７８を設置することができる。
【００５３】
なお、本発明は、上記した第１〜第５の実施形態に限定されるものではなく発明の趣旨の範囲内で種々の変更が可能であり、例えば、次のように変更してもよい。
○  第１〜第５の実施形態では、スタッカクレーンを備えた自動倉庫に適用した例について説明したが、本発明の物品保管装置はかならずしもスタッカクレーンを備える必要はない。スタッカクレーンに替えてフォークリフト等の荷役車両を用いてもよく、あるいは、人手により物品の出入を行うようにしてもよい。
○  第１〜第５の実施形態では、仕切板の空気流通孔及び整流板の整流用通孔を打ち抜きによる円孔としたがこれらの通孔は円孔に限定されない。例えば、多角形、楕円、長孔、溝孔等のように空気の通すことができる通孔とすればよい。
○  第１〜第５の実施形態では、仕切板及び整流板を金属製の板材としたが、例えば、除塵フィルタのような繊維材料により形成された仕切板又は整流板を用いてもよく、この場合、仕切板又は整流板の機能を果たすようにある程度の空気を通す材料とする必要がある。また、こうした材料では材料自体が空気を通すことで、仕切板及び整流板の材料に流通孔又は整流用通孔が備えられることになり。空気流通孔又は整流用通孔が明確な形状を有する必要がない。
○  第１〜５の実施形態では、複数の仕切板を用いて背面側空間部を分割して区画空間部を形成したが、用いる仕切板の数は特に制限されず、少なくとも１以上あればよい。
○  第１の実施形態では、区画空間部の両側（左右）に区画壁が備えられ、区画壁により隣の区画空間部との隔絶を図ったが、区画壁は特になくてもよい。この場合、各区画空間部は隣の区画空間部と連通する。このため、横方向に広がる区画空間部が形成される。
【図面の簡単な説明】
【００５４】
【図１】第１の実施形態に係る物品保管装置を一部破断して示す側面図である。
【図２】第１の実施形態に係る物品保管装置を一部破断して示す正面図である。
【図３】第１の実施形態に係る物品保管装置の要部を一部破断して示す斜視図である。
【図４】第１の実施形態に係る物品保管装置内の空気の速度分布を示す説明図である。
【図５】第２の実施形態に係る物品保管装置を一部破断して示す正面図である。
【図６】第３の実施形態に係る物品保管装置を一部破断して示す正面図である。
【図７】第４の実施形態に係る物品保管装置を一部破断して示す正面図である。
【図８】第５の実施形態に係る物品保管装置を一部破断して示す正面図である。
【符号の説明】
【００５５】
１０、４０、５０、６０、７０  物品保管装置
１１  物品保管棚
１２  物品収容部
２１  天井側空間部
２４、４１、５１、６２、７１  背面側空間部
２４ａ〜２４ｄ、４１ａ〜４１ｌ、５１ａ、５１ｂ、６１ａ〜６１ｅ、７１ａ〜７１ｄ  区画空間部
２７、７８  送風ファン
２８、７５、７７  除塵フィルタ
２９、４２、５２、６２、７９  仕切板
３０、４３、５３、６３、８０  空気流通孔
３２、４４、５４、６４、８１  整流板
３３、４５、５５、６５、８２  整流用通孔
Ｗ  物品
【図１】
2007112527.tif 000003
【図２】
2007112527.tif 000004
【図３】
2007112527.tif 000005
【図４】
2007112527.tif 000006
【図５】
2007112527.tif 000007
【図６】
2007112527.tif 000008
【図７】
2007112527.tif 000009
【図８】
2007112527.tif 000010